(57)【要約】  【課題】  運転者の減速意思に基づいてダウンシフトを行う際に、エンジン出力増大制御の開始タイミングを精度良く設定できるようにする。  【解決手段】  運転者の減速意思に基づいてＥＴＣ協調ダウンシフトを実行する際に、運転者のアクセル操作によらずエンジン出力を増大させるエンジン出力増大制御（スロットル開き制御と燃料噴射復帰制御）を実行するシステムにおいて、ＥＴＣ協調ダウンシフト制御開始後に入力軸回転速度Ｎｔが所定値Ｋ以上低下した時点で、解放側クラッチの油圧が、エンジン出力増大制御を開始しても加速感やショックを生じない所定の伝達トルク容量相当油圧以下に低下したと判断して、エンジン出力増大制御を開始する。これにより、エンジン出力増大制御の開始タイミングを精度良く設定することができて、エンジン出力増大制御による加速感やショックを運転者に感じさせずに済む。  【選択図】  図７
2006069267.tif 000002
【特許請求の範囲】
【請求項１】
複数の摩擦係合要素に作用させる油圧を油圧制御手段で個別に制御することで、各摩擦係合要素の係合と解放を選択的に切り換えて、変速機構の変速段を切り換える自動変速機の制御装置において、
運転者の減速意思に基づいて前記変速機構をエンジンブレーキの働く変速段にダウンシフトするように油圧を制御するダウンシフト制御手段と、
前記ダウンシフト制御中に運転者のアクセル操作によらずエンジン出力を増大させるエンジン出力増大制御を実行するエンジン出力増大制御手段と、
前記変速機構の入力軸回転速度を検出する入力軸回転速度検出手段とを備え、
前記エンジン出力増大制御手段は、前記エンジン出力増大制御の開始タイミングを、前記変速機構の入力軸回転速度が所定値以上低下した時点とすることを特徴とする自動変速機の制御装置。
【請求項２】
複数の摩擦係合要素に作用させる油圧を油圧制御手段で個別に制御することで、各摩擦係合要素の係合と解放を選択的に切り換えて、変速機構の変速段を切り換える自動変速機の制御装置において、
運転者の減速意思に基づいて前記変速機構をエンジンブレーキの働く変速段にダウンシフトするように油圧を制御するダウンシフト制御手段と、
前記ダウンシフト制御中に運転者のアクセル操作によらずエンジン出力を増大させるエンジン出力増大制御を実行するエンジン出力増大制御手段と、
前記変速機構の入力軸回転速度を検出する入力軸回転速度検出手段と、
前記変速機構の出力軸回転速度を検出する出力軸回転速度検出手段とを備え、
前記エンジン出力増大制御手段は、前記エンジン出力増大制御の開始タイミングを、前記変速機構の入力軸回転速度と出力軸回転速度の比が所定値以下に低下した時点とすることを特徴とする自動変速機の制御装置。
【請求項３】
前記ダウンシフト制御開始からの経過時間を計測するタイマ手段を備え、
前記エンジン出力増大制御手段は、ダウンシフト制御開始からの経過時間が所定時間を越えても、前記エンジン出力増大制御が開始されていない場合は、その時点で前記エンジン出力増大制御を開始することを特徴とする請求項１又は２に記載の自動変速機の制御装置。
【請求項４】
エンジン回転速度と入力軸回転速度との差を算出する手段を備え、
前記エンジン出力増大制御手段は、エンジン回転速度と入力軸回転速度との差が所定値以上となってから所定時間以内にダウンシフト要求が発生したときに前記エンジン出力増大制御を禁止する手段を備えていることを特徴とする請求項１乃至３のいずれかに記載の自動変速機の制御装置。
【請求項５】
アクセル開度を検出するアクセル開度検出手段を備え、
前記エンジン出力増大制御手段は、アクセル開度が所定値以下となってから所定時間以内にダウンシフト要求が発生したときに前記エンジン出力増大制御を禁止する手段を備えていることを特徴とする請求項１乃至４のいずれかに記載の自動変速機の制御装置。
【請求項６】
前記エンジン出力増大制御手段は、エンジン制御コンピュータが燃料カット開始を遅延させる燃料カットディレーを実行しているときにその燃料カットディレーの情報を該エンジン制御コンピュータから受信する手段と、前記燃料カットディレー中にダウンシフト要求が発生したときに前記エンジン出力増大制御を禁止する手段とを備えていることを特徴とする請求項１乃至５のいずれかに記載の自動変速機の制御装置。
【請求項７】
前記ダウンシフト制御手段は、前記ダウンシフト制御を開始するときに解放側の摩擦係合要素の油圧指令値を最低油圧又はその付近に即座に下げることを特徴とする請求項１乃至６のいずれかに記載の自動変速機の制御装置。
【請求項８】
前記ダウンシフト制御開始から前記エンジン出力増大制御の開始タイミングまでの間に燃料カットを実行する燃料カット実行手段を備えていることを特徴とする請求項１乃至７のいずれかに記載の自動変速機の制御装置。
【請求項９】
前記燃料カット実行手段は、エンジン制御コンピュータが燃料カット開始を遅延させる燃料カットディレーを実行しているときのみに燃料カットを実行することを特徴とする請求項８に記載の自動変速機の制御装置。
【請求項１０】
前記燃料カット実行手段は、アクセル開度が所定値以下である場合にも燃料カットを実行することを特徴とする請求項８又は９に記載の自動変速機の制御装置。
【発明の詳細な説明】
【技術分野】
【０００１】
本発明は、運転者の減速意思に基づいて実行されるダウンシフトの制御技術を改良した自動変速機の制御装置に関する発明である。
【背景技術】
【０００２】
近年の自動車の自動変速機は、油圧制御回路が切り換えられて油圧クラッチやブレーキ等の複数の摩擦系係合要素の係合状態が変更されることにより複数の変速段が達成される構成のものが多いが、このような自動変速機では、下り坂などでアクセルをＯＦＦ状態としても十分なエンジンブレーキ力が得られない場合、運転者がオーバードライブスイッチをＯＦＦしたり、シフトレバーをＤレンジからＳレンジ、Ｌレンジへ切り換えたりなどして、ダウンシフトを行わせることにより、エンジンブレーキ力を増大させるようにしている。
【０００３】
ところで、このようなアクセルＯＦＦ状態で、運転者の減速意思（減速操作等）に基づいてエンジンブレーキ力を増大させるためのダウンシフトが行われる場合、ダウンシフトによって自動変速機の変速比が大きくなるため、それだけエンジンの回転速度を上昇させる必要がある。しかし、このようなエンジンブレーキを必要とする運転モードにおいては、スロットル弁が通常閉じられているため、ダウンシフト後の変速段を達成するための摩擦係合要素によるトルク伝達によって、アウトプット側のトルクがエンジン側へ伝達されることにより、エンジン回転速度が上昇させられることになる。このため、変速時間が長くなって必要なタイミングでエンジンブレーキの効果が得られなかったり、エンジン回転速度の上昇に伴うイナーシャトルクが車両の制動トルクとなって現れ、一時的にエンジンブレーキ力が増大して変速ショックを生じると言う問題があった。また、自動変速機の油圧制御などにより摩擦係合要素の伝達トルクを急増させると、エンジン回転速度が速やかに上昇して変速時間が短くなるものの、制動トルクが急増して変速ショックが一層大きくなってしまう。
【０００４】
このような問題を解決することを目的として、特許文献１（特許第２９２４４６３号公報）の制御技術が提案されている。このものは、アクセルが略ＯＦＦ状態で自動変速機がエンジンブレーキの作用する低速段へダウンシフトされる際にエンジン出力を一時的に増大させるエンジン出力増大手段と、ダウシフトに際して例えば油圧制御回路を切り換える変速出力時点などの予め定められた計測開始時点からの経過時間を計測するタイマと、ダウンシフトの際に解放される高速段側の摩擦係合要素にすべりが生じ始めた後、そのダウンシフトの際に係合させられる低速段摩擦係合要素が完全係合させられるまでの間に、エンジン回転速度が上昇するように、前記タイマによって計測された経過時間に基づいてエンジン出力増大手段によるエンジン出力増大制御を開始し、その開始タイミングを前記摩擦係合要素の係合、解放遅れ時間及びエンジン出力の増大遅れ時間の少なくとも一方に影響を与える車両の作動状態（具体的には油圧制御回路内の油温やエンジン回転速度）に基づいて設定する構成となっている。
【０００５】
また、この特許文献１には、自動変速機の摩擦係合要素が実際に解放されたり係合したりするまでには遅れ時間が有り、また、エンジン出力を増大させるためにスロットル開き制御がなされた後、エンジン出力が実際に上昇するまでにも遅れ時間があるため、これらの遅れ時間を考慮して開始タイミングを設定するすることで、変速ショックを抑制しながら変速時間が短縮されることが開示され、さらに、高速段側の摩擦係合要素にすべりが生じ始めるタイミングに合わせてエンジンが吹き上がるようにスロットル弁の開き制御を行うことが望ましいことも開示されている。
【特許文献１】特許第２９２４４６３号公報（第１頁〜第３頁等）
【発明の開示】
【発明が解決しようとする課題】
【０００６】
しかしながら、ダウンシフト時に上記摩擦係合要素が実際に解放されたり係合したりするまでの遅れ時間は、油圧制御回路内の油温やエンジン回転速度だけで無く、ダウンシフト制御が実行されるときの車速や摩擦係合要素に作用するトルクなどによっても変化する。特に、ダウンシフト時は、アクセルペダルを略全閉としているため、ロード・ロード以下（その時点の速度で定速走行するのに必要なトルク以下）の任意の駆動トルクがエンジン側から加えられることを考慮する必要があり、更には、ロックアップクラッチのスリップ制御中を含む作動状態によっても影響される。そのため、タイマに基づく制御開始時間の設定では、油温やエンジン回転速度の影響を考慮したとしても、常に適正なタイミングでスロットル弁の開き制御（エンジン出力増大制御）を開始できるとは限らない。このため、スロットル弁の開き制御の開始タイミングが適正なタイミングからずれて、ダウンシフト中にスロットル弁の開き制御により加速感やショックを運転者に感じさせてしまう懸念がある。しかも、油温やエンジン回転速度の影響を考慮してタイマの基準値を適正に設定するためには、適合工程で、繰り返し実験に基づく基準値の設定が必要になると共に、変速油圧制御の仕様変更により油圧の抜き方を変更する必要が生じた場合にもタイマの基準値を設定し直す必要があり、ロジックが複雑になるばかりでなく、多くのパラメータ設定が必要であり、パラメータの適合作業に甚だ手間がかかるという問題がある。
【０００７】
本発明はこの様な事情を考慮してなされたものであり、本発明の目的は、運転者の減速意思に基づいてダウンシフトを行う際に、エンジン出力増大制御の開始タイミングを精度良く設定することができて、エンジン出力増大制御による加速感やショックを運転者に感じさせずに済むと共に、単純なロジック構成と少ないパラメータ設定でエンジン出力増大制御を実行できる自動変速機の制御装置を提供することにある。
【課題を解決するための手段】
【０００８】
上記目的を達成するために、請求項１に係る発明は、運転者の減速意思に基づいて変速機構がダウンシフトされる際に、運転者のアクセル操作によらずエンジン出力を増大させるエンジン出力増大制御を実行するエンジン出力増大制御手段を備えた自動変速機の制御装置において、変速機構の入力軸回転速度を検出する入力軸回転速度検出手段と、前記エンジン出力増大制御の開始タイミングを制御する出力増大開始タイミング制御手段を備え、前記エンジン出力増大制御の開始タイミングを、変速機構の入力軸回転速度が所定値以上低下した時点とするようにしたものである。
【０００９】
要するに、本発明は、ダウンシフト制御開始後に解放側の摩擦係合要素の油圧が低下するに従って変速機構の入力軸回転速度が低下する点に着目し、ダウンシフト制御開始後に変速機構の入力軸回転速度が所定値以上低下した時点で、解放側の摩擦係合要素の油圧が、エンジン出力増大制御を開始しても加速感やショックを生じない所定の伝達トルク容量相当油圧以下に低下したと判断して、エンジン出力増大制御を開始するものである。これにより、エンジン出力増大制御の開始タイミングを精度良く設定することができて、エンジン出力増大制御による加速感やショックを運転者に感じさせずに済む。しかも、特許文献１の様なタイマに依存することなくエンジン出力増大制御の開始タイミングを設定できるため、単純なロジック構成と少ないパラメータ設定でエンジン出力増大制御を実行でき、実用化が容易であるという利点もある。
【００１０】
また、請求項２のように、エンジン出力増大制御の開始タイミングを、前記変速機構の入力軸回転速度と出力軸回転速度の比（＝ギア比）が所定値以下に低下した時点とするようにしても良い。要するに、ダウンシフト制御開始後に変速機構の入力軸回転速度が低下するに従ってギア比（＝入力軸回転速度／出力軸回転速度）が低下する点に着目し、ダウンシフト制御開始後にギア比が所定値以下に低下した時点で、解放側の摩擦係合要素の油圧が、エンジン出力増大制御を開始しても加速感やショックを生じない所定の伝達トルク容量相当油圧以下に低下したと判断して、エンジン出力増大制御を開始するものである。これにより、上記請求項１と同様の効果を得ることができる。
【００１１】
ところで、ダウンシフト制御開始後でも、エンジン制御状態によっては変速機構の入力軸回転速度やギア比がほとんど低下しない場合がある。このような場合、上記請求項１，２に係る発明では、エンジン出力増大制御が開始されない状態が続いてしまう。
【００１２】
そこで、請求項３のように、ダウンシフト制御開始からの経過時間を計測するタイマ手段を設け、ダウンシフト制御開始からの経過時間が所定時間を越えても、前記エンジン出力増大制御が開始されていない場合は、その時点でエンジン出力増大制御を開始するようにしても良い。このようにすれば、ダウンシフト制御開始後に変速機構の入力軸回転速度やギア比がほとんど低下しない場合でも、予め設定された適度なタイミングでエンジン出力増大制御を開始することができる。
【００１３】
ところで、アクセル全閉等の燃料カット実行条件が成立したときに、直ちに燃料カットを開始すると、トルクショックが発生するおそれがある。この対策として、エンジン制御コンピュータは、燃料カット開始を遅延させる燃料カットディレーを実行することで、トルクショックを防止するようにしている。燃料カットディレー中は、燃料が噴射されてエンジントルクが発生しているため、燃料カットディレー中にエンジン出力増大制御を開始すると、エンジントルクが大きくなり過ぎて車両を加速させてしまうおそれがある。
【００１４】
この対策として、請求項４のように、エンジン回転速度と入力軸回転速度との差が所定値以下となってから所定時間以内にダウンシフト要求が発生したときにエンジン出力増大制御を禁止するようにしても良い。要するに、エンジン回転速度と入力軸回転速度との差が所定値以上となってから所定時間が経過するまでは、燃料カットディレー中であると判断して、エンジン出力増大制御を行わないようにしたものである。このようにすれば、燃料カットディレー中にエンジン出力増大制御を行うことによる弊害を回避することができる。
【００１５】
或は、請求項５のように、アクセル開度を検出するアクセル開度検出手段を設け、アクセル開度が所定値以下となってから所定時間以内にダウンシフト要求が発生したときにエンジン出力増大制御を禁止するようにしても良い。要するに、アクセル開度が所定値以下となってから所定時間が経過するまでは、燃料カットディレー中であると判断して、エンジン出力増大制御を行わないようにしたものである。このようにすれば、燃料カットディレー中にエンジン出力増大制御を行うことによる弊害を回避することができる。
【００１６】
また、請求項６のように、エンジン制御コンピュータが燃料カットディレーを実行しているときにその燃料カットディレーの情報を該エンジン制御コンピュータから自動変速機の制御コンピュータに出力し、燃料カットディレー中にダウンシフト要求が発生したときにエンジン出力増大制御を禁止するようにしても良い。このようにすれば、エンジン制御コンピュータから燃料カットディレー情報を直接取得して、燃料カットディレー中のエンジン出力増大制御を確実に禁止することができる。
【００１７】
また、請求項７のように、ダウンシフト制御を開始するときに解放側の摩擦係合要素の油圧指令値を最低油圧又はその付近に即座に下げるようにしても良い。このようにすれば、ダウンシフト制御開始時に解放側の摩擦係合要素の油圧を伝達トルク容量相当油圧以下に速やかに低下させることができるため、エンジン出力増大制御を速やかに開始してダウンシフトの変速時間を短縮することができる。
【００１８】
更に、請求項８のように、ダウンシフト制御開始からエンジン出力増大制御の開始タイミングまでの間に燃料カットを実行する（燃料カットディレーを中止する）ようにしても良い。ダウンシフト制御を開始するときに解放側の摩擦係合要素の油圧指令値を最小値又はその付近に即座に下げて解放側の摩擦係合要素の伝達トルク容量を即座に無くした状態にすれば、直ちに燃料カットディレーを中止して燃料カットを開始しても、トルクショックが発生することがなく、変速機構の入力軸回転速度やギア比を低下させることができ、エンジン出力増大制御の開始タイミングを早めてダウンシフトの変速を速やかに進行させることができる。
【００１９】
この場合、請求項９のように、エンジン制御コンピュータが燃料カットディレーを実行しているときのみに燃料カットを実行するようにしても良い。このようにすれば、低回転領域でエンジン回転を維持するための少量の燃料を噴射しているとき等、燃料カットディレー以外の要求で燃料を噴射しているときに、燃料カットを実行してエンスト等の不具合を発生させてしまうことを防止できる。
【００２０】
また、ダウンシフト制御開始後にアクセルペダルが少しでも踏み込まれていると、入力軸回転速度が低下しにくいので、エンジン出力増大制御が開始されない状態が続いてしまう可能性がある。
【００２１】
この対策として、請求項１０のように、アクセル開度が所定値以下である場合にも燃料カットを実行するようにしても良い。このようにすれば、ダウンシフト制御開始後にアクセルペダルが少しだけ踏み込まれた状況でも、燃料カットにより入力軸回転速度を低下させてエンジン出力増大制御を開始させることができる。
【発明を実施するための最良の形態】
【００２２】
以下、本発明を実施するための最良の形態を具体化した幾つかの実施例を説明する。
【実施例１】
【００２３】
本発明の実施例１を図１乃至図２２に基づいて説明する。
まず、図１に基づいて内燃機関であるエンジン１１の制御システム全体の概略構成を説明する。エンジン１１の吸気管１２の上流側にはエアクリーナ１３が装着され、その下流側には吸入空気量Ｇa を測定するエアフローメータ１４が設置され、更に、その下流側にスロットルバルブ１５が設けられている。このスロットルバルブ１５の回動軸１５ａにはＤＣモータ等のモータ１７が連結され、このモータ１７の駆動力によってスロットルバルブ１５の開度（スロットル開度）が制御され、このスロットル開度がスロットル開度センサ１８によって検出される。
【００２４】
スロットルバルブ１５を通過した吸入空気をエンジン１１の各気筒に導入する吸気マニホールド１９には、インジェクタ２０が取り付けられ、また、エンジン１１の各気筒のシリンダヘッドには点火プラグ２１が取り付けられている。エンジン１１のクランク軸２２に嵌着されたシグナルロータ２３の外周に対向してクランク角センサ２４（エンジン回転速度検出手段）が設置され、このクランク角センサ２４から出力されるエンジン回転速度信号ＮｅのパルスがエンジンＥＣＵ２５（エンジン制御コンピュータ）に取り込まれ、このエンジン回転速度信号Ｎｅのパルス周波数によってエンジン回転速度が検出される。
【００２５】
一方、アクセルペダル２６の踏込量（アクセル開度）がアクセルセンサ２７（アクセル開度検出手段）によって検出され、このアクセル操作量に応じた電圧信号Ａｐが電子制御ユニット２５にＡ／Ｄ変換器２８を介して取り込まれる。また、エアフローメータ１４で検出した吸入空気量Ｇa やスロットル開度センサ１８で検出したスロットル開度ＴＡの各電圧信号も、エンジンＥＣＵ２５にＡ／Ｄ変換器２８を介して取り込まれる。
【００２６】
このエンジンＥＣＵ２５は、ＣＰＵ２９、ＲＯＭ３０、ＲＡＭ３１等を備えたマイクロコンピュータを主体として構成され、ＲＯＭ３０に記憶されているエンジン制御用の各種ルーチンをＣＰＵ２９で実行することで、点火プラグ２１の点火時期を制御すると共に、インジェクタ駆動回路４５を介してインジェクタ２０に与える噴射信号のパルス幅を制御し、燃料噴射量を制御する。
【００２７】
また、エンジンＥＣＵ２５は、ＲＯＭ３０に記憶されているスロットル制御用の各種ルーチンをＣＰＵ２９で実行することで、スロットル開度センサ１８で検出したスロットル開度を目標スロットル開度に一致させるように、モータ駆動回路３２を介してスロットルバルブ１５のモータ１７をＰＩＤ制御等によりフィードバック制御する。尚、電子スロットルシステムの異常時には、モータ駆動回路３２からモータ１７への通電路中に設けられた安全回路４６が作動して、モータ１７への通電がＯＦＦされた状態に保たれる。この状態では、退避走行を可能にするために、スロットル開度が所定開度に保持される。
【００２８】
次に、図２及び図３に基づいて自動変速機５１の概略構成を説明する。図３に示すように、エンジン１１の出力軸には、トルクコンバータ５２の入力軸５３が連結され、このトルクコンバータ５２の出力軸５４に、油圧駆動式の変速歯車機構５５（変速機構）が連結されている。トルクコンバータ５２の内部には、流体継手を構成するポンプインペラ７１とタービンランナ７２が対向して設けられ、ポンプインペラ３１とタービンランナ７２との間には、オイルの流れを整流するステータ７３が設けられている。ポンプインペラ７１は、トルクコンバータ５２の入力軸５３に連結され、タービンランナ３２は、トルクコンバータ５２の出力軸５４に連結されている。
【００２９】
また、トルクコンバータ５２には、入力軸５３側と出力軸５４側との間を係合又は切り離しするためのロックアップクラッチ５６が設けられている。エンジンの出力トルクは、トルクコンバータ５２を介して変速歯車機構５５に伝達され、変速歯車機構５５の複数のギア（遊星歯車等）で変速されて、車両の駆動輪（前輪又は後輪）に伝達される。
【００３０】
変速歯車機構５５には、複数の変速段を切り換えるための摩擦係合要素である複数のクラッチＣ０，Ｃ１，Ｃ２とブレーキＢ０，Ｂ１が設けられ、図４に示すように、これら各クラッチＣ０，Ｃ１，Ｃ２と各ブレーキＢ０，Ｂ１の係合／解放を油圧で切り換えて、動力を伝達するギアの組み合わせを切り換えることによって変速比を切り換えるようになっている。
【００３１】
尚、図４は４速自動変速機のクラッチＣ０，Ｃ１，Ｃ２とブレーキＢ０，Ｂ１の係合の組合せを示すもので、○印はその変速段で係合状態（トルク伝達状態）に保持されるクラッチとブレーキを示し、無印は解放状態を示している。例えば、Ｄレンジのスロットル踏み込み状態では、車速が上がるにつれて、１速、２速、３速、４速へとアップシフトしていく。１速から２速への変速では、Ｃ０及びＢ０の係合からＢ０を解放し、新たにＢ１を係合する。２速から３速への変速では、Ｃ０及びＢ１の係合からＢ１を解放し、新たにＣ２を係合する。３速から４速への変速では、Ｃ０及びＣ２の係合からＣ０を解放し、新たにＢ１を係合する。
【００３２】
ここで、例えば、２速から３速への変速時に、Ｂ１が何らかの原因で油圧が低圧状態にならず係合状態で固定された場合は、Ｃ２を係合することにより、インターロックが発生して駆動輪が停止してしまうことを回避するフェールセーフ機構を設けている。具体的には、変速歯車機構５５内の各クラッチに作用する油圧を検出できる位置に各クラッチ毎に油圧スイッチ（図示せず）をフェール検出手段として設置している。この油圧スイッチは、実油圧が閾値以上のときにＯＮ（Ｈｉ出力）し、実油圧が閾値未満のときにＯＦＦ（Ｌｏ出力）するように構成され、この油圧スイッチの出力（実油圧）と油圧指令値との関係が合致するか否かを判定することで、異常のあるクラッチを検出するようにしている。この検出結果に基づき、上記のようなインターロックが発生する変速段に変速しないように制御している。
【００３３】
図２に示すように、変速歯車機構５５には、エンジン動力で駆動される油圧ポンプ５８が設けられ、作動油（オイル）を貯溜するオイルパン（図示せず）内には、油圧制御回路５７が設けられている。この油圧制御回路５７は、ライン圧制御回路５９、自動変速制御回路６０、ロックアップ制御回路６１、手動切換弁６６等から構成され、オイルパンから油圧ポンプ５８で汲み上げられた作動油がライン圧制御回路５９を介して自動変速制御回路６０とロックアップ制御回路６１に供給される。ライン圧制御回路５９には、油圧ポンプ５８からの油圧を所定のライン圧に制御するライン圧制御用の油圧制御弁（図示せず）が設けられ、自動変速制御回路６０には、変速歯車機構５５の各クラッチＣ０，Ｃ１，Ｃ２と各ブレーキＢ０，Ｂ１に供給する油圧を制御する複数の変速用の油圧制御弁（油圧制御手段）が設けられている。また、ロックアップ制御回路６１には、ロックアップクラッチ５６に供給する油圧を制御するロックアップ制御用の油圧制御弁（図示せず）が設けられている。
【００３４】
各油圧制御弁は、例えばリニアソレノイドバルブにより構成され、所定のデューティにて電圧を印加して流れる電流により発生する吸引力にて油圧を制御している。このため、油圧制御弁の電流と油圧は、密接な関係となり、電流値を制御することにより油圧を制御している。また、デューティに対する電流値のばらつきを吸収するため、電流値を自動変速機電子制御回路（以下「ＡＴ−ＥＣＵ」と表記する）７０の図示しない電流検出手段によりモニタし、電流値をフィードバック制御するようにしている。
【００３５】
また、ライン圧制御回路５９と自動変速制御回路６０との間には、シフトレバー６５の操作に連動して切り換えられる手動切換弁６６が設けられている。シフトレバー６５がニュートラルレンジ（Ｎレンジ）又はパーキングレンジ（Ｐレンジ）に操作されているときには、自動変速制御回路６０の油圧制御弁への通電が停止（ＯＦＦ）された状態になっていても、手動切換弁６６によって変速歯車機構５５に供給する油圧が変速歯車機構５５をニュートラル状態とするように切り換えられる。
【００３６】
一方、変速歯車機構５５には、変速歯車機構５５の入力軸回転速度Ｎｔ（トルクコンバータ５２の出力軸回転速度）を検出する入力軸回転速度センサ６８（入力軸回転速度検出手段）と、変速歯車機構５５の出力軸回転速度Ｎｏを検出する出力軸回転速度センサ６９（出力軸回転速度検出手段）が設けられている。
【００３７】
これら各種センサの出力信号は、ＡＴ−ＥＣＵ７０に入力される。このＡＴ−ＥＣＵ７０は、マイクロコンピュータを主体として構成され、内蔵されたＲＯＭ（記憶媒体）に記憶された各ルーチンを実行することで、予め設定した図５の変速パターンに従って変速歯車機構５５の変速が行われるように、シフトレバー６５の操作位置や運転条件（スロットル開度、車速等）に応じて自動変速制御回路６０の各油圧制御弁への通電を制御して、変速歯車機構５５の各クラッチＣ０，Ｃ１，Ｃ２と各ブレーキＢ０，Ｂ１に作用させる油圧を制御することによって、図４に示すように、各クラッチＣ０，Ｃ１，Ｃ２と各ブレーキＢ０，Ｂ１の係合／解放を切り換えて、動力を伝達するギアの組み合わせを切り換えることで、変速歯車機構５５の変速比を切り換える。
【００３８】
この際、ＡＴ−ＥＣＵ７０は、ダウンシフトを行う場合は、図６、図７に示すように制御する。以下の説明では、クラッチＣ０，Ｃ１，Ｃ２とブレーキＢ０，Ｂ１を総称して単に「クラッチ」と簡略化して表記する。また、ダウンシフト制御時に係合状態から解放状態に切り換えるクラッチを「解放側クラッチ」と表記し、解放状態から係合状態に切り換えるクラッチを「係合側クラッチ」と表記する。
【００３９】
図６は、運転者がアクセルペダル２６を踏み込んでダウンシフトする“パワーオンダウンシフト”の制御例を示すタイムチャートであり、図７は、運転者の減速意思に基づいてエンジンブレーキを発生させるためのダウンシフト中にエンジン出力増大制御を実行する“ＥＴＣ協調ダウンシフト”の制御例を示すタイムチャートである。
【００４０】
まず、図６を用いてパワーオンダウンシフトの制御例を説明する。
運転者がアクセルペダル２６を大きく踏み込んでスロットル開度が急激に開放されると、パワーオンダウンシフトと判定されて、ダウンシフトの変速指令が出力される。この時点ｔ0 で、解放側クラッチの油圧指令値を初期油圧まで低下させた後、解放側クラッチの油圧指令値を一定勾配で低下させる。これにより、解放側クラッチの係合力が低下してエンジン負荷が軽減されるため、変速歯車機構５５の入力軸回転速度Ｎｔ（トルクコンバータ５２の出力軸回転速度）が上昇し始める。
【００４１】
また、ダウンシフトの変速指令が出力された時点ｔ0 で、係合側クラッチが係合力を発生する直前の状態になるように、係合側クラッチの油圧指令値を所定の充填油圧Ｐo に設定して、係合側クラッチに作動油を充填する充填制御を実行する。この充填制御を所定時間ｔF だけ実行して係合側クラッチが係合力を発生する直前の状態になった時点ｔ1 で、係合側クラッチの油圧指令値を待機油圧ＰｔＡｐまで低下させて充填制御を終了する。この後は、この待機油圧ＰｔＡｐによって係合側クラッチが係合力を発生する直前の状態に保持される。この待機油圧ＰｔＡｐは、係合側クラッチのリターンスプリングのセット荷重相当油圧ＰｓＡｐ付近に設定されている。
【００４２】
その後、入力軸回転速度Ｎｔの吹き上り（Ｎｔの変化率≧判定値）を検出した時点ｔ2 で、入力軸回転速度Ｎｔの吹き上り勾配が所定値になるように解放側クラッチの油圧をフィードバック制御する。このフィードバック制御中は、解放側クラッチの油圧指令値がリターンスプリングのセット荷重相当油圧ＰｓＤｒよりも少し高くなっている。そして、変速進行割合ＳｆｔＲ［＝１００×（入力軸回転速度Ｎｔ−出力軸回転速度Ｎo ×変速前ギア比）／（出力軸回転速度Ｎo ×変速後ギア比−出力軸回転速度Ｎo ×変速前ギア比）］が所定値Ｂに達した時点ｔ3 で、係合側クラッチの油圧指令値を一定勾配で増加させる制御を開始する。その後、変速進行割合ＳｆｔＲが所定値Ａに達した時点ｔ4 で、解放側クラッチの油圧指令値を一定勾配で低下させる。
【００４３】
そして、変速進行割合ＳｆｔＲが所定値Ｃに達した時点ｔ5 で、係合側クラッチの油圧指令値を最高圧に設定して、係合側クラッチの油圧を最高圧まで増加させる。このように制御することで、入力軸回転速度Ｎｔがダウンシフト先の低速段相当の回転速度に上昇するタイミングに合わせて係合側クラッチの係合力を増加させてダウンシフトを完了する。      
【００４４】
次に、図７を用いてＥＴＣ協調ダウンシフトの制御例を説明する。ＥＴＣ協調ダウンシフト実行条件が成立してダウンシフトの変速指令が出力された時点ｔ0 で、解放側クラッチの油圧指令値を最低油圧（０ｋＰａ）又はその付近まで即座に低下させる。これにより、解放側クラッチの油圧を伝達トルク容量相当油圧以下に速やかに低下させる。
【００４５】
このＥＴＣ協調ダウンシフトにおいても、係合側クラッチの油圧制御は、パワーオンダウンシフトとほぼ同じであり、ダウンシフトの変速指令が出力された時点ｔ0 で、係合側クラッチの油圧指令値を所定の充填油圧Ｐo に設定して、係合側クラッチに作動油を充填する充填制御を実行する。この充填制御を所定時間ｔF だけ実行して係合側クラッチが係合力を発生する直前の状態になった時点で、係合側クラッチの油圧指令値を待機油圧ＰｔＡｐ（係合側クラッチのリターンスプリングのセット荷重相当油圧ＰｓＡｐ付近）まで低下させて充填制御を終了する。この後は、係合クラッチによる待機油圧ＰｔＡｐによって係合側クラッチが係合力を所望のエンブレ感が発生する状態に保持される。その後の増圧制御については、前述のパワーオンダウンシフトと同様の処理が実施される。
【００４６】
このＥＴＣ協調ダウンシフトの特徴は、次のようにしてエンジン出力増大制御を実行することである。解放側クラッチの実油圧が最低油圧（０）まで低下する過程で、解放側クラッチの伝達トルク容量が低下し、変速歯車機構５５の入力軸回転速度Ｎｔが低下する。これにより、ＥＴＣ協調ダウンシフト制御開始からの入力軸回転速度Ｎｔの低下量ΔＮｔが設定値Ｋ以上になった時点ｔ6 で、解放側クラッチの油圧が、エンジン出力増大制御を開始しても加速感やショックを生じない所定の伝達トルク容量相当油圧以下に低下したと判断して、エンジン出力増大制御を開始する。
【００４７】
このとき、スロットル開度指令値を所定のスロットル開き指令値に設定してスロットル開き制御を開始すると共に、燃料カットフラグ（以下「Ｆ／Ｃフラグ」と表記する）をＯＦＦして、燃料噴射復帰制御を開始し、燃料噴射を再開する。
【００４８】
このエンジン出力増大制御（スロットル開き制御と燃料噴射復帰制御）の開始から所定の遅れを持ってエンジン出力が増大する。このエンジン出力増大が遅れる要因として、スロットル開き制御に関しては、スロットルバルブ１５の開弁動作の応答遅れ（Ｔａ）と、スロットルバルブ１５が実際に開いた時期からエンジン出力が増大するまでの応答遅れ（Ｔｂ）があり、燃料噴射復帰制御に関しては、燃料噴射を再開してからエンジン出力が増大するまでの応答遅れ（Ｔｃ）がある。
【００４９】
このスロットル開き制御（エンジン出力増大制御）の開始後は、所望の変速時間及び変速フィーリングを実現する入力軸回転速度Ｎｔ挙動となるように設定されたスロットル開き指令値を出力して保持する。このスロットル開き指令値は、エンジン１１のフリクションロス、変速前後の入力軸回転速度Ｎｔの変化量に影響を与えるパラメータ（変速パターン［ギア比変化］、冷却水温、入力軸回転速度Ｎｔ等）の検出結果及び所望の変速時間に基づき設定される。更に、路面勾配の大きさや車体の減速度の大きさによってスロットル開き指令値を変更すれば、よりフィーリングを詳細に所望の状態に合わせることができる。また、スロットル開き指令値は、エアフロメータ１４の出力にて補正されるようになっている。このエンジン出力増大制御により、変速歯車機構５５の入力軸回転速度Ｎｔ（トルクコンバータ５２の出力軸回転速度）が上昇し始める。
【００５０】
このエンジン出力増大制御の実行中は、最終的にダウンシフトが終了する時点（変速進行割合ＳｆｔＲが１００％となる時点）に合わせてエンジン出力増大制御による実際のエンジン出力増大を終了させるための終了判定をしつつ所定量のエンジン出力増大量を保持している。この終了判定は、前記変速進行割合ＳｆｔＲ及び該変速進行割合の単位時間ΔＴ当たりの変化量ΔＳｆｔＲにより終了指令から実際にエンジン出力増大がなくなるまでの応答遅れ分を考慮し、この応答遅れ分を相殺可能な制御終了時期は、変速進行割合ＳｆｔＲがいくつになった時点かを演算し、変速進行割合ＳｆｔＲがその演算値を上回ったか否かにて、エンジン出力増大制御であるスロットル開き制御及び燃料噴射復帰制御の終了時期（ｔ8 ，ｔ9 ）をそれぞれ判定する。その結果、終了時期（ｔ8 ，ｔ9 ）と判定されると、スロットル開き制御においては、スロットル開き指令値を“０”に減衰させるべく、終了制御を実施する。この終了制御では、電子スロットルの過渡再現性が確保するために所定の勾配をもってスロットル開き制御指令値を“０”まで減衰させている。また、燃料噴射復帰制御については、終了判定に従いＦ／ＣフラグをＯＮに復帰させて燃料カットを再開する。但し、エンジン回転速度の急激な低下その他の原因でエンジン１１側からの燃料カット要求が消滅した場合は、この限りでない。
【００５１】
エンジン出力増大終了応答遅れの要因として、スロットル開き制御に関しては、スロットルバルブ１５の全閉動作の応答遅れ（Ｔｄ）と、スロットルバルブ１５が実際に全閉してから実際にエンジン出力増大がなくなるまでの応答遅れ（Ｔｅ）と、更に終了判定からスロットル開き指令値を“０”に減衰させるまでの時間（Ｔｓｄ）がある。また、燃料噴射復帰制御に関しては、燃料カットを再開してからエンジン出力がなくなるまでの応答遅れ（Ｔｆ）がある。
【００５２】
ここで、スロットルバルブ１５の閉弁動作の応答遅れ（Ｔｄ）については、電子スロットルシステムのモータ１７の駆動応答性に関連したパラメータ（冷却水温、バッテリ電圧等）のマップにより演算される。また、スロットルバルブ１５の全閉からエンジン出力増大がなくなるまでの応答遅れ（Ｔｅ）については、スロットルバルブ１５の全閉により減少した吸入空気がシリンダ内に吸入されてから燃焼に至るまでの遅れと、吸気流速に関連したパラメータ（エンジン回転速度、スロットル開度等）のマップにより演算される。また、終了判定からスロットル開き指令値を“０”に減衰させるまでの時間（Ｔｓｄ）については、スロットル開き指令値／減衰勾配により算出される。また、燃料カットを再開してからエンジン出力がなくなるまでの応答遅れ（Ｔｆ）については、燃料カット再開から燃料カットを実施した気筒が燃焼行程に至るまでの時間（クランク軸が７２０℃Ａ回転するのに要する時間Ｔ７２０℃Ａ）により設定される。
【００５３】
以上説明した本実施例１の変速制御は、ＡＴ−ＥＣＵ７０とエンジンＥＣＵ２５とが協調して以下の各ルーチンに従って実行される。以下、これら各ルーチンの処理内容を説明する。
【００５４】
［変速制御］
図８の変速制御ルーチンは、エンジン運転中に所定時間毎（例えば８〜３２ｍｓｅｃ毎）に実行される変速制御のメインルーチンである。本ルーチンが起動されると、まずステップ１００で、変速が必要か否か（変速指令が出力されたか否か）を判定し、変速が必要でなければ、以降の処理を行うことなく、本ルーチンを終了する。
【００５５】
一方、変速が必要であれば、ステップ１０１に進み、後述する図９の変速種類判定ルーチンを実行して、現在の変速指令に対応する変速種類を判定する。この後、ステップ１０２に進み、ＥＴＣ協調ダウンシフト実行フラグｘＥｔｃがＥＴＣ協調ダウンシフト実行条件成立を意味するＯＮにセットされているか否かを判定し、このＥＴＣ協調ダウンシフト実行フラグｘＥｔｃがＯＦＦにセットされていれば、ステップ１０５に進み、変速種類に応じた変速油圧制御ルーチン（図示せず）を実行して、現在の変速指令に応じた変速段に変速して本ルーチンを終了する。
【００５６】
これに対して、ＥＴＣ協調ダウンシフト実行フラグｘＥｔｃがＯＮにセットされていれば、ＥＴＣ協調ダウンシフト実行条件成立と判断して、ステップ１０２からステップ１０３に進み、後述する図１３のスロットル開き制御ルーチンを起動して、スロットル開き制御を実行し、次のステップ１０４で、後述する図１９の燃料噴射復帰制御ルーチンを起動して、燃料噴射復帰制御を実行する。この後、ステップ１０５に進み、後述する図１０の変速油圧制御ルーチンを実行して、現在の変速指令に応じた変速段に変速して本ルーチンを終了する。
【００５７】
［変速種類判定］
図９の変速種類判定ルーチンは、図８の変速制御ルーチンのステップ１０１で実行されるサブルーチンである。本ルーチンが起動されると、まずステップ１１１で、現在の変速指令がアップシフトかダウンシフトかを判定し、アップシフトと判定されれば、ステップ１１２に進み、自動変速機５１に加わる負荷状態がパワーオン（エンジン１１側から自動変速機５１が駆動される状態）かパワーオフ（駆動輪側から自動変速機５１が駆動される状態）かを判定する。そして、この判定結果に応じて、現在の変速指令に応じた変速種類がパワーオンアップシフト（ステップ１１８）、パワーオフアップシフト（ステップ１１９）のいずれに該当するかを判定する。
【００５８】
これに対して、ステップ１１１で、ダウンシフトと判定されれば、ステップ１１３に進み、自動変速機５１に加わる負荷状態がパワーオンかパワーオフかを判定し、パワーオフと判定されれば、運転者の減速意思によるダウンシフトであるか否かを判定する。ここでは、シフトレバー１６の操作によるセレクトシフト、マニュアルモードにおけるステアリング部分に搭載されたスイッチ又はシフトレバー１６での操作によるスポーツシフトのいずれかの場合、運転者の減速意思によるダウンシフトと判定する。運転者の減速意思によるダウンシフトと判定された場合、ステップ１１６に進み、ＥＴＣ協調ダウンシフト実行条件が成立しているか否かを、例えば制御性確保のために、作動油の油温が、油圧指令値に対する油圧応答の再現性の良い温度領域であるか否かを判定する。その結果、ＥＴＣ協調ダウンシフト実行条件が成立していると判定された場合は、ステップ１１７に進み、ＥＴＣ協調ダウンシフト実行フラグｘＥｔｃをＯＮにセットした後、ステップ１２１に進み、現在の変速の種類をＥＴＣ協調ダウンシフトと判定する。
【００５９】
また、前記ステップ１１５で運転者の減速意思によるダウンシフトでないと判定された場合、又は、ステップ１１６でＥＴＣ協調ダウンシフト実行条件が不成立と判定された場合は、ステップ１２２に進み、現在の変速の種類をパワーオフダウンシフトと判定する。      
【００６０】
一方、前記ステップ１１３で、パワーオンと判定された場合は、ＥＴＣ協調ダウンシフト制御（エンジン出力増大制御）によるパワーオンと、アクセルペダル２６の踏み込みによるパワーオンとを区別するため、ステップ１１４に進み、ＥＴＣ協調ダウンシフト実行フラグｘＥｔｃがＯＮにセットされているか否かを判定し、ＯＮにセットされていれば、ステップ１２１に進み、現在の変速の種類がＥＴＣ協調ダウンシフトと判定し、ＥＴＣ協調ダウンシフト実行フラグｘＥｔｃがＯＦＦにセットされていれば、ステップ１２０に進み、現在の変速の種類がパワーオンダウンシフトと判定する。
【００６１】
［変速油圧制御］
図１０の変速油圧制御ルーチンは、変速種類がＥＴＣ協調ダウンシフトの場合に実行され、特許請求の範囲でいうダウンシフト制御手段としての役割を果たす。本ルーチンが起動されると、まずステップ１３０で、後述する図１８に示すエンジン出力増大制御禁止判定ルーチンを実行して、エンジン出力増大制御の禁止の有無を判定した後、ステップ１３１に進み、後述する図１１に示す解放側クラッチ油圧制御ルーチンを実行して、解放側クラッチの油圧を制御すると共に、次のステップ１３２で、後述する図１２に示す係合側クラッチ油圧制御ルーチンを実行して、係合側クラッチの油圧を制御する。
【００６２】
この後、ステップ１３３に進み、ダウンシフトが完了したか否かを、後述する制御段階フラグＦｌａｇ１＝４、且つ、Ｆｌａｇ２＝５であるか否かで判定する。そして、ダウンシフトが完了した時点で、ステップ１３４に進み、制御段階フラグＦｌａｇ１とＦｌａｇ２を共に初期値「０」にリセットすると共に、その他のフラグｘＥｔｃ、ｘＥｔｃＴＳｔ、ｘＥｔｃＦＳｔ、ｘＥｔｃＴＥｄ、ｘＥｔｃＦＥｄを全て「ＯＦＦ」にリセットして、本ルーチンを終了する。
【００６３】
［解放側クラッチ油圧制御］
次に、図１０の変速油圧制御ルーチンのステップ１３１で実行される図１１の解放側クラッチ油圧制御ルーチンの処理内容を説明する。本ルーチンが起動されると、まずステップ１４０で、ＥＴＣ協調ダウンシフト実行フラグｘＥｔｃがＯＮにセットされているか否かで、現在の変速の種類がＥＴＣ協調ダウンシフトであるか否かを判定し、ＥＴＣ協調ダウンシフト実行フラグｘＥｔｃがＯＮにセットされていれば、ステップ１４１に進み、解放側クラッチの油圧指令値を最低油圧である０［ｋＰａ］まで即座に低下させる（図７参照）。このステップ１４１の処理も、特許請求の範囲でいうダウンシフト制御手段としての役割を果たす。
【００６４】
これに対して、上記ステップ１４０で、ＥＴＣ協調ダウンシフト実行フラグｘＥｔｃがＯＦＦと判定されれば、ステップ１４２に進み、制御段階フラグＦｌａｇ１の値が０〜３のいずれであるか否かで、現在の解放側クラッチ油圧制御の段階を判定する。この制御段階フラグＦｌａｇ１は、解放側クラッチ油圧制御の各段階に進む毎に１ずつ増加するフラグであり、初期値は０で最大値は４である。従って、解放側クラッチ油圧制御は、４段階のシーケンス制御となる。
【００６５】
解放側クラッチ油圧制御を開始する時点ｔ0 では、制御段階フラグＦｌａｇ１は初期値（０）に設定されているため、ステップ１４３に進み、制御段階フラグＦｌａｇ１を「１」にセットして、次のステップ１４４に進み、解放側クラッチの油圧指令値を待機油圧ＰｔＤｒに設定して、解放側クラッチに供給する油圧を待機油圧ＰｔＤｒまで低下させる（第１段階の制御）。
【００６６】
次回の本ルーチンの起動時には、既にＦｌａｇ１＝１になっているため、ステップ１４５に進み、解放側クラッチの油圧を待機油圧ＰｔＤｒに保持し、次のステップ１４６で、変速進行割合ＳｆｔＲが１００％に近い所定値Ａに達したか否かを判定し、所定値Ａに達していなければ、そのまま本ルーチンを終了する。その後、変速進行割合ＳｆｔＲが所定値Ａに達した時点で、ステップ１４７に進み、制御段階フラグＦｌａｇ１を「２」にセットして、この第２段階の制御を終了し、第３段階の制御に移行する。
【００６７】
この第３段階の制御では、まずステップ１４８で、解放側クラッチの油圧指令値を一定勾配で低下させる。そして、次のステップ１４９で、解放側クラッチの油圧指令値が０以下に低下したか否かを判定し、解放側クラッチの油圧指令値が０以下に低下するまで、この第３段階の制御（油圧減圧制御）を継続する。その後、解放側クラッチの油圧指令値が最小値（０以下）まで低下した時点で、ステップ１５０に進み、制御段階フラグＦｌａｇ１を「３」にセットして、この第３段階の制御を終了し、第４段階の制御に移行する。
【００６８】
この第４段階の制御では、まずステップ１５１で、解放側クラッチの油圧指令値を０に設定して、解放側クラッチを完全に解放させた状態に維持する。そして、次のステップ１５２で、制御段階フラグＦｌａｇ１を「４」にセットして解放側クラッチ油圧制御を終了する。
【００６９】
［係合側クラッチ油圧制御］
図１２の係合側クラッチ油圧制御ルーチンは、図１０の変速油圧制御ルーチンのステップ１３２で実行されるサブルーチンである。本ルーチンが起動されると、まずステップ１６１で、制御段階フラグＦｌａｇ２の値が０〜４のいずれであるか否かで、現在の係合側クラッチ油圧制御の段階を判定する。この制御段階フラグＦｌａｇ２は、係合側クラッチ油圧制御の各段階に進む毎に１ずつ増加するフラグであり、初期値は０で最大値は５である。従って、係合側クラッチ油圧制御は、５段階のシーケンス制御となる。
【００７０】
係合側クラッチ油圧制御を開始する時点ｔ0 では、制御段階フラグＦｌａｇ２は初期値（０）に設定されているため、ステップ１６２に進み、係合側クラッチが係合力を発生する直前の状態になるように、係合側クラッチの油圧指令値を所定の充填油圧Ｐo に設定して、係合側クラッチに作動油を充填する充填制御を実行する。そして、次のステップ１６３で、制御段階フラグＦｌａｇ２を「１」にセットした後、ステップ１６４に進み、充填制御時間をカウントするタイマｔを０にリセットして、本ルーチンを終了する。
【００７１】
次回の本ルーチンの起動時には、既にＦｌａｇ２＝１になっているため、ステップ１６５に進み、充填制御時間タイマｔをカウントアップして、現在までの充填制御時間をカウントし、次のステップ１６６で、充填制御時間タイマｔの値が所定時間ｔF 以上になったか否かを判定し、充填制御時間が所定時間ｔF になるまでは、係合側クラッチの油圧指令値を充填油圧Ｐo に保持して、充填制御を継続する（ステップ１６９）。
【００７２】
ここで、所定時間ｔF は、充填制御により係合側クラッチが係合力を発生する直前の状態になるのに必要な時間であり、予め実験又はシミュレーション等により設定されている。
【００７３】
その後、充填制御時間が所定時間ｔF になった時点（充填制御により係合側クラッチが係合力を発生する直前の状態になった時点）で、ステップ１６７に進み、制御段階フラグＦｌａｇ２を「２」にセットし、次のステップ１６８で、係合側クラッチの油圧指令値を待機油圧ＰｔＡｐまで低下させて充填制御を終了する。この後は、待機油圧ＰｔＡｐによって係合側クラッチが係合力を発生する直前の状態に保持される。
【００７４】
係合側クラッチの油圧を待機油圧ＰｔＡｐに制御しているときには、制御段階フラグＦｌａｇ２が「２」になっているため、ステップ１７０に進み、変速進行割合ＳｆｔＲが所定値Ｄ（図７参照）に達したか否かを判定し、変速進行割合ＳｆｔＲが所定値Ｄに達するまでは、係合側クラッチの油圧指令値を待機油圧ＰｔＡｐに保持する（ステップ１７３）。
【００７５】
その後、変速進行割合ＳｆｔＲが所定値Ｄに達した時点で、ステップ１７１に進み、制御段階フラグＦｌａｇ２を「３」にセットし、次のステップ１７２で、係合側クラッチの油圧指令値を一定勾配で増加させる制御に移行する。
【００７６】
この後、本ルーチンが起動された時は、制御段階フラグＦｌａｇ２が「３」になっているため、ステップ１７４に進み、変速進行割合ＳｆｔＲが１００％に近い所定値Ｇに達したか否かを判定し、変速進行割合ＳｆｔＲが所定値Ｇに達するまでは、係合側クラッチの油圧指令値を一定勾配で増加させる制御を継続する（ステップ１７７）。
【００７７】
その後、変速進行割合ＳｆｔＲが所定値Ｇに達した時点で、ステップ１７５に進み、制御段階フラグＦｌａｇ２を「４」にセットし、次のステップ１７６で、係合側クラッチの油圧指令値を最高圧に設定して、係合側クラッチの油圧を最高圧まで増加させる。このように制御することで、入力軸回転速度Ｎｔがダウンシフト先の低速段相当の回転速度に上昇するタイミングに合わせて、係合側クラッチの係合力を増加させてダウンシフトを完了する。
【００７８】
この後、本ルーチンが起動された時は、制御段階フラグＦｌａｇ２が「４」になっているため、ステップ１７８に進み、制御段階フラグＦｌａｇ２が「４」にセットされてから所定時間が経過したか否か（つまり変速進行割合ＳｆｔＲが所定値Ｇに達してから所定時間が経過したか否か）を判定し、所定時間が経過した時点で、ステップ１７９に進み、制御段階フラグＦｌａｇ２を「５」にセットして、係合側クラッチ油圧制御を終了する。
【００７９】
［スロットル開き制御］
図１３のスロットル開き制御ルーチンは、図８の変速制御ルーチンのステップ１０３で実行されるサブルーチンであり、特許請求の範囲でいうエンジン出力増大制御手段としての役割を果たす。
【００８０】
本ルーチンが起動されると、まずステップ２０１で、スロットル開き制御開始フラグｘＥｔｃＴＳｔがスロットル開き制御の開始前を意味するＯＦＦであるか否かを判定し、ＯＦＦであれば、ステップ２０３に進み、後述する図１４のスロットル開き制御開始判定ルーチンを実行して、スロットル開き制御の開始タイミングであるか否かを判定し、その判定結果に応じてスロットル開き制御開始フラグｘＥｔｃＴＳｔをセット／リセットする。      
【００８１】
この後、ステップ２０５に進み、スロットル開き制御開始フラグｘＥｔｃＴＳｔが引き続きＯＦＦのままであるか否かを判定し、ＯＦＦのままであれば、ステップ２０７に進み、スロットル開き制御開始前の吸入空気量の記憶値ＧａＢを現在のエアフローメータ１４の検出値Ｇａで更新して本ルーチンを終了する。
【００８２】
これに対して、上記ステップ２０５で、スロットル開き制御開始フラグｘＥｔｃＴＳｔがＯＮにセットされたと判定された場合は、ステップ２０９に進み、スロットル開度指令値ｔａｎｇｌｅａｔ（スロットル開き量）を図１７のスロットル開き量設定マップを用いて、ダウンシフトする変速段と水温と入力軸回転速度Ｎｔに応じて設定する。この後、ステップ２１０に進み、後述する図１６のスロットル開き量補正制御ルーチンを実行して、本ルーチンを終了する。
【００８３】
また、前記ステップ２０１で、スロットル開き制御開始フラグｘＥｔｃＴＳｔがスロットル開き制御の実行中を意味するＯＮであると判定された場合には、ステップ２０２に進み、スロットル開き制御終了フラグｘＥｔｃＴＥｄがスロットル開き制御の終了前を意味するＯＦＦであるか否かを判定し、ＯＦＦであれば、ステップ２０４に進み、後述する図１５のスロットル開き制御終了判定ルーチンを実行して、スロットル開き制御の終了タイミングであるか否かを判定し、その判定結果に応じてスロットル開き制御終了フラグｘＥｔｃＴＥｄをセット／リセットする。
【００８４】
この後、ステップ２０６に進み、スロットル開き制御終了フラグｘＥｔｃＴＥｄが引き続きＯＦＦのままであるか否かを判定し、ＯＦＦのままであれば、ステップ２０９、２１０の処理を実行して、スロットル開き制御を継続する。
【００８５】
これに対して、上記ステップ２０６で、スロットル開き制御終了フラグｘＥｔｃＴＥｄがＯＮにセットされたと判定された場合は、ステップ２０８に進み、スロットル開度指令値ｔａｎｇｌｅａｔを所定量ｄｔａｎｇｌｅａｔずつ減量補正して、スロットル開き指令値ｔａｎｇｌｅａｔを所定の勾配で“０”に減衰させる終了制御を実行する。
【００８６】
［スロットル開き制御開始判定］
図１４のスロットル開き制御開始判定ルーチンは、図１３のスロットル開き制御ルーチンのステップ２０３で実行されるサブルーチンである。本ルーチンが起動されると、まずステップ２２１で、ＥＴＣ協調ダウンシフト制御開始からの入力軸回転速度Ｎｔの低下量ΔＮｔが設定値Ｋ以上になったか否かを判定し、まだ入力軸回転速度Ｎｔの低下量ΔＮｔが設定値Ｋ以上になっていなければ、エンジン出力増大制御の開始タイミングに達していないと判断して、そのまま本ルーチンを終了する。
【００８７】
その後、ＥＴＣ協調ダウンシフト制御開始からの入力軸回転速度Ｎｔの低下量ΔＮｔが設定値Ｋ以上になった時点で、エンジン出力増大制御の開始タイミングに達したと判断して、ステップ２２１からステップ２２２に進み、スロットル開き制御開始フラグｘＥｔｃＴＳｔをＯＮにセットする。
【００８８】
［スロットル開き制御終了判定］
図１５のスロットル開き制御終了判定ルーチンは、図１３のスロットル開き制御ルーチンのステップ２０４で実行されるサブルーチンである。本ルーチンが起動されると、まずステップ２４１で、スロットルバルブ１５の全閉動作の応答遅れ（Ｔｄ）と、スロットルバルブ１５が実際に全閉してから実際にエンジン出力増大がなくなるまでの応答遅れ（Ｔｅ）と、更に終了判定からスロットル開き指令値を“０”に減衰させるまでの時間（Ｔｓｄ）を演算する。ここで、スロットルバルブ１５の閉弁動作の応答遅れ（Ｔｄ）については、電子スロットルシステムのモータ１７の駆動応答性に関連したパラメータ（冷却水温、バッテリ電圧等）のマップにより演算される。また、スロットルバルブ１５の全閉からエンジン出力増大がなくなるまでの応答遅れ（Ｔｅ）については、スロットルバルブ１５の全閉により減少した吸入空気がシリンダ内に吸入されてから燃焼に至るまでの遅れと、吸気流速に関連したパラメータ（エンジン回転速度、スロットル開度等）のマップにより演算される。また、終了判定からスロットル開き指令値を“０”に減衰させるまでの時間（Ｔｓｄ）については、スロットル開き指令値／減衰勾配により算出される。
【００８９】
この後、ステップ２４２に進み、スロットル開き制御終了時（終了制御開始時）の変速進行割合ＳｆｔＲｅｄを次式により算出する。
ＳｆｔＲｅｄ＝１００−ＤＳｆｔＲ×（Ｔｄ＋Ｔｅ＋Ｔｓｄ）／ｔｓｍｐ
ここで、ＤＳｆｔＲは、変速進行割合ＳｆｔＲの演算周期当たりの変化量（ＳｆｔＲの今回値−前回値）であり、ｔｓｍｐは、ＤＳｆｔＲの演算周期である。
【００９０】
この後、ステップ２４３に進み、現在の変速進行割合ＳｆｔＲが上記ＳｆｔＲｅｄ以上になったか否かを判定し、変速進行割合ＳｆｔＲがまだ上記ＳｆｔＲｅｄに達していなければ、そのまま本ルーチンを終了する。そして、変速進行割合ＳｆｔＲが上記ＳｆｔＲｅｄに達した時点で、ステップ２４４に進み、スロットル開き制御終了フラグｘＥｔｃＴＥｄをＯＮにセットする。
【００９１】
［スロットル開き量補正制御］
図１６のスロットル開き量補正制御ルーチンは、図１３のスロットル開き制御ルーチンのステップ２１０で実行されるサブルーチンである。本ルーチンが起動されると、まずステップ２５１で、スロットル開き量補正制御の実行条件が成立しているか否かを判定する。この実行条件は、例えば、スロットル開き指令からの経過時間が応答遅れ相当時間以上であるか否かで判定し、スロットル開き指令からの経過時間が応答遅れ相当時間未満である場合は、スロットル開き量補正制御の実行条件が不成立となり、そのまま本ルーチンを終了する。その後、スロットル開き指令からの経過時間が応答遅れ相当時間以上になった時点で、スロットル開き量補正制御の実行条件が成立し、ステップ２５２に進み、スロットル開度指令値ｔａｎｇｌｅａｔ（スロットル開き量）を次式により補正する。
ｔａｎｇｌｅａｔ＝ｔａｎｇｌｅａｔ×ＤＧａＴ／（Ｇａ−ＧａＢ）
【００９２】
ここで、ＤＧａＴは、吸入空気量Ｇａのスロットル開き制御による増大量目標値で、スロットル開度指令値ｔａｎｇｌｅａｔに応じてテーブル等により設定される。ＧａＢは、図１３のスロットル開き制御ルーチンのステップ２０７で記憶されたスロットル開き制御開始直前の吸入空気量である。上式によりスロットル開度指令値ｔａｎｇｌｅａｔ（スロットル開き量）を補正することで、システムの製造ばらつき、経時変化によるばらつき、大気圧や吸気温等の運転条件によるばらつきを補正する。
【００９３】
［エンジン出力増大制御禁止判定］
図１８のエンジン出力増大制御禁止判定ルーチンは、図１０の変速油圧制御ルーチンのステップ１３０で実行されるサブルーチンである。本ルーチンが起動されると、まずステップ２６１で、アクセルセンサ２７で検出したアクセル開度が設定値以下であるか否かを判定し、アクセル開度が設定値以下であれば、ステップ２６４に進み、ＥＴＣ協調ダウンシフト実行フラグｘＥｔｃをＯＦＦにセットして、エンジン出力増大制御（スロットル開き制御と燃料噴射復帰制御）を禁止する。
【００９４】
一方、アクセル開度が設定値よりも大きければ、ステップ２６１からステップ２６２に進み、油温が設定値以上であるか否かを判定し、油温が設定値以上であれば、ステップ２６４に進み、ＥＴＣ協調ダウンシフト実行フラグｘＥｔｃをＯＦＦにセットして、エンジン出力増大制御（スロットル開き制御と燃料噴射復帰制御）を禁止する。
【００９５】
これに対して、油温が設定値未満であれば、ステップ２６１からステップ２６２に進み、エンジン回転速度Ｎｅと入力軸回転速度Ｎｔとの差（Ｎｅ−Ｎｔ）が設定値以上になってから所定時間以内であるか否かによって、燃料カットディレー中であるか否かを判定し、燃料カットディレー中と判定されれば、ステップ２６４に進み、ＥＴＣ協調ダウンシフト実行フラグｘＥｔｃをＯＦＦにセットして、エンジン出力増大制御（スロットル開き制御と燃料噴射復帰制御）を禁止する。
【００９６】
上記ステップ２６１〜２６３で、いずれも「Ｎｏ」と判定された場合は、何もせずに本ルーチンを終了する。この場合は、エンジン出力増大制御（スロットル開き制御と燃料噴射復帰制御）が許可される。
【００９７】
［燃料噴射復帰制御］
図１９の燃料噴射復帰制御ルーチンは、図８の変速制御ルーチンのステップ１０４で実行されるサブルーチンであり、特許請求の範囲でいうエンジン出力増大制御手段としての役割を果たす。本ルーチンが起動されると、まずステップ３００で、エンジンＥＣＵ２５からＡＴ−ＥＣＵ７０に送信されてくる燃料カット情報に基づいてエンジン制御側で燃料カット要求が発生しているか否かを判定し、燃料カット要求が発生していない場合は、ステップ３０７に進み、燃料噴射を継続する。
【００９８】
これに対して、ステップ３００で、燃料カット要求が発生している（燃料カット中）と判定された場合は、ステップ３０１に進み、燃料噴射復帰制御開始フラグｘＥｔｃＦＳｔが燃料噴射復帰制御の開始前を意味するＯＦＦであるか否かを判定し、ＯＦＦであれば、ステップ３０３に進み、後述する図２０の燃料噴射開始判定ルーチンを実行して、燃料噴射復帰制御の開始タイミングであるか否かを判定し、その判定結果に応じて燃料噴射復帰制御開始フラグｘＥｔｃＦＳｔをセット／リセットする。
【００９９】
この後、ステップ３０５に進み、燃料噴射復帰制御開始フラグｘＥｔｃＦＳｔが引き続きＯＦＦのままであるか否かを判定し、ＯＦＦのままであれば、そのまま本ルーチンを終了するが、ＯＮにセットされたと判定された場合は、ステップ３０８に進み、燃料噴射を実施する。
【０１００】
また、前記ステップ３０１で、燃料噴射復帰制御開始フラグｘＥｔｃＦＳｔが燃料噴射復帰制御の実行中を意味するＯＮであると判定された場合には、ステップ３０２に進み、燃料噴射復帰制御終了フラグｘＥｔｃＦＥｄが燃料噴射復帰制御の終了前を意味するＯＦＦであるか否かを判定し、ＯＦＦであれば、ステップ３０４に進み、後述する図２１の燃料噴射復帰制御終了判定ルーチンを実行して、燃料噴射復帰制御の終了タイミングであるか否かを判定し、その判定結果に応じて燃料噴射復帰制御終了フラグｘＥｔｃＦＥｄをセット／リセットする。
【０１０１】
この後、ステップ３０６に進み、燃料噴射復帰制御終了フラグｘＥｔｃＦＥｄが引き続きＯＦＦのままであるか否かを判定し、ＯＦＦのままであれば、ステップ３０８に進み、燃料噴射を実施する。
【０１０２】
また、前記ステップ３０６で、燃料噴射復帰制御終了フラグｘＥｔｃＦＥｄが燃料噴射復帰制御の終了を意味するＯＮと判定された場合は、ステップ３０９へ進み、燃料カットを再開する。
【０１０３】
［燃料噴射開始判定］
図２０の燃料噴射開始判定ルーチンは、図１９の燃料噴射復帰制御ルーチンのステップ３０３で実行されるサブルーチンである。本ルーチンが起動されると、まずステップ３２１で、エンジンＥＣＵ２５からＡＴ−ＥＣＵ７０に送信されてくる燃料カット情報に基づいてＦ／Ｃフラグ（燃料カットフラグ）がＯＦＦであるか否かを判定し、Ｆ／ＣフラグがＯＦＦであれば、ステップ３２２に進み、燃料噴射復帰制御開始フラグｘＥｔｃＦＳｔをＯＮにセットして本ルーチンを終了する。これに対して、ステップ３２１で、Ｆ／ＣフラグがＯＮと判定されれば、そのまま本ルーチンを終了する。
【０１０４】
［燃料噴射終了判定］
図２１の燃料噴射終了判定ルーチンは、図１９の燃料噴射復帰制御ルーチンのステップ３０４で実行されるサブルーチンである。本ルーチンが起動されると、まずステップ３４１で、燃料カットを再開してからエンジン出力がなくなるまでの応答遅れ（Ｔｆ）を算出する。この際、クランク軸が７２０℃Ａ回転するのに要する時間Ｔ７２０℃Ａを応答遅れ（Ｔｆ）として算出する。
【０１０５】
この後、ステップ３４２に進み、燃料噴射復帰制御終了時（終了制御開始時）の変速進行割合ＳｆｔＲｅｄを次式により算出する。
ＳｆｔＲｅｄ＝１００−ＤＳｆｔＲ×Ｔｆ／ｔｓｍｐ
ここで、ＤＳｆｔＲは、変速進行割合ＳｆｔＲの演算周期当たりの変化量（ＳｆｔＲの今回値−前回値）であり、ｔｓｍｐは、ＤＳｆｔＲの演算周期である。
【０１０６】
この後、ステップ３４３に進み、現在の変速進行割合ＳｆｔＲが上記ＳｆｔＲｅｄ以上になったか否かを判定し、変速進行割合ＳｆｔＲがまだ上記ＳｆｔＲｅｄに達していなければ、そのまま本ルーチンを終了する。そして、変速進行割合ＳｆｔＲが上記ＳｆｔＲｅｄに達した時点で、ステップ３４４に進み、燃料噴射復帰制御終了フラグｘＥｔｃＦＥｄをＯＮにセットする。
【０１０７】
以上説明した本実施例１によれば、運転者の減速意思に基づいてＥＴＣ協調ダウンシフトを実行する際に、運転者のアクセル操作によらずエンジン出力を増大させるエンジン出力増大制御（スロットル開き制御と燃料噴射復帰制御）を実行するシステムにおいて、エンジン出力増大制御の開始タイミングを、ＥＴＣ協調ダウンシフト制御開始からの入力軸回転速度Ｎｔの低下量ΔＮｔが設定値Ｋ以上になった時点としている。要するに、本実施例１では、ＥＴＣ協調ダウンシフト制御開始後に解放側クラッチの油圧が低下するに従って入力軸回転速度Ｎｔが低下する点に着目し、ＥＴＣ協調ダウンシフト制御開始後に入力軸回転速度Ｎｔが所定値Ｋ以上低下した時点で、解放側クラッチの油圧が、エンジン出力増大制御を開始しても加速感やショックを生じない所定の伝達トルク容量相当油圧以下に低下したと判断して、エンジン出力増大制御を開始するものである。これにより、エンジン出力増大制御の開始タイミングを精度良く設定することができて、エンジン出力増大制御による加速感やショックを運転者に感じさせずに済む。しかも、タイマに依存することなくエンジン出力増大制御の開始タイミングを設定できるため、単純なロジック構成と少ないパラメータ設定でエンジン出力増大制御を実行でき、実用化が容易であるという利点もある。
【０１０８】
ところで、アクセル全閉等の燃料カット実行条件が成立したときに、直ちに燃料カットを開始すると、トルクショックが発生するおそれがある。この対策として、エンジン制御ＥＣＵ２５は、燃料カット開始を遅延させる燃料カットディレーを実行することで、トルクショックを防止するようにしている。燃料カットディレー中は、燃料が噴射されてエンジントルクが発生しているため、燃料カットディレー中にエンジン出力増大制御を開始すると、エンジントルクが大きくなり過ぎて車両を加速させてしまうおそれがある。
【０１０９】
この対策として、本実施例１では、図２２に示すように、エンジン回転速度Ｎｅと入力軸回転速度Ｎｔとの差（Ｎｅ−Ｎｔ）が設定値以上となった時点ｔ0 で、経過時間タイマを作動させ、この経過時間タイマの値が設定値（所定時間）に達する時点ｔ2 以前に、ダウンシフト要求が発生したときには、その時点ｔ1 で、燃料カットディレー中のダウンシフト要求と判断してエンジン出力増大制御を禁止する。要するに、エンジン回転速度Ｎｅと入力軸回転速度Ｎｔとの差（Ｎｅ−Ｎｔ）が設定値以上となった時点ｔ0 から所定時間が経過するまでは、燃料カットディレー中と判断してエンジン出力増大制御を禁止するものである。これにより、燃料カットディレー中と判断される期間にエンジン出力増大制御を行わないようにすることができ、燃料カットディレー中にエンジン出力増大制御を行うことによる弊害を回避することができる。
【実施例２】
【０１１０】
図２３及び図２４に示す本発明の実施例２では、ＥＴＣ協調ダウンシフト制御開始後に入力軸回転速度Ｎｔが低下するに従ってギア比（＝入力軸回転速度Ｎｔ／出力軸回転速度Ｎｏ）が低下する点に着目し、ＥＴＣ協調ダウンシフト制御開始後にギア比が設定値以下に低下した時点で、解放側クラッチの油圧が、エンジン出力増大制御を開始しても加速感やショックを生じない所定の伝達トルク容量相当油圧以下に低下したと判断して、エンジン出力増大制御を開始するようにしている。
【０１１１】
この制御は、図２４のスロットル開き制御開始判定ルーチンによって次のように実行される。本ルーチンが起動されると、まずステップ２２３で、ギア比が設定値以下に低下したか否かを判定し、まだギア比が設定値以下に低下していなければ、エンジン出力増大制御の開始タイミングに達していないと判断して、そのまま本ルーチンを終了する。
【０１１２】
その後、ギア比が設定値以下に低下した時点で、エンジン出力増大制御の開始タイミングに達したと判断して、ステップ２２３からステップ２２４に進み、スロットル開き制御開始フラグｘＥｔｃＴＳｔをＯＮにセットする。その他の各ルーチンの処理は、前記実施例１と同じである。
以上説明した本実施例２においても、前記実施例１と同様の効果を得ることができる。
【実施例３】
【０１１３】
ところで、図２５に示すように、ＥＴＣ協調ダウンシフト制御開始後でも、エンジン制御状態によっては入力軸回転速度Ｎｔやギア比がほとんど低下しない場合がある。このような場合、上記実施例１，２では、エンジン出力増大制御が開始されない状態が続いてしまう。
【０１１４】
そこで、図２５及び図２６に示す本発明の実施例３では、ＥＴＣ協調ダウンシフト制御開始からの経過時間を計測する経過時間タイマ（タイマ手段）を設け、ＥＴＣ協調ダウンシフト制御開始からの経過時間が設定値を越えても、エンジン出力増大制御が開始されていない場合は、その時点でエンジン出力増大制御を開始するようにしている。
【０１１５】
この制御は、図２６のスロットル開き制御開始判定ルーチンによって次のように実行される。本ルーチンが起動されると、まずステップ２２３で、ギア比が設定値以下に低下したか否かを判定し、まだギア比が設定値以下に低下していなければ、ステップ２２５に進み、ＥＴＣ協調ダウンシフト制御開始からの経過時間を計測する経過時間タイマの値が設定値以上になったか否かを判定し、設定値未満であれば、そのまま本ルーチンを終了する。
【０１１６】
その後、経過時間タイマの値が設定値に達する前に、ギア比が設定値以下に低下すれば、その時点で、ステップ２２３からステップ２２４に進み、スロットル開き制御開始フラグｘＥｔｃＴＳｔをＯＮにセットする。
【０１１７】
一方、ギア比が設定値以下に低下しないまま、経過時間タイマの値が設定値に達すれば、その時点で、ステップ２２５からステップ２２４に進み、スロットル開き制御開始フラグｘＥｔｃＴＳｔをＯＮにセットする。その他の各ルーチンの処理は、前記実施例１と同じである。
【０１１８】
以上説明した本実施例３では、ＥＴＣ協調ダウンシフト制御開始からの経過時間が設定値を越えても、エンジン出力増大制御が開始されていない場合は、その時点でエンジン出力増大制御を開始するようにしたので、ＥＴＣ協調ダウンシフト制御開始後にギア比がほとんど低下しない場合でも、予め設定された適度なタイミングでエンジン出力増大制御を開始することができる。
【０１１９】
尚、上記ステップ２２３において、「ギア比≦設定値？」の判定に代えて、前記実施例１と同様に、「ΔＮｔ≧設定値？」の判定によって、エンジン出力増大制御（スロットル開き制御）の開始タイミングを判定するようにしても良い。
【実施例４】
【０１２０】
図２７及び図２８に示す本発明の実施例４では、アクセルセンサ２７で検出したアクセル開度が設定値以下となった時点ｔ0 で、経過時間タイマを作動させ、この経過時間タイマの値が設定値（所定時間）に達する時点ｔ2 以前に、ダウンシフト要求が発生したときには、その時点ｔ1 で、燃料カットディレー中のダウンシフト要求と判断してエンジン出力増大制御を禁止する。
【０１２１】
この制御は、図２８のエンジン出力増大制御禁止判定ルーチンによって次のように実行される。本ルーチンが起動されると、まずステップ２７１で、アクセルセンサ２７で検出したアクセル開度が設定値以下となってから所定時間以内であるか否かを判定し、所定時間以内であれば、ステップ２６４に進み、ＥＴＣ協調ダウンシフト実行フラグｘＥｔｃをＯＦＦにセットして、エンジン出力増大制御（スロットル開き制御と燃料噴射復帰制御）を禁止する。
【０１２２】
一方、アクセル開度が設定値以下となってから所定時間以内でなければ、ステップ２７１からステップ２７２に進み、油温が設定値以上であるか否かを判定し、油温が設定値以上であれば、ステップ２７３に進み、ＥＴＣ協調ダウンシフト実行フラグｘＥｔｃをＯＦＦにセットして、エンジン出力増大制御（スロットル開き制御と燃料噴射復帰制御）を禁止する。
これに対して、油温が設定値未満であれば、何もせずに本ルーチンを終了する。この場合は、エンジン出力増大制御（スロットル開き制御と燃料噴射復帰制御）が許可される。      
【０１２３】
以上説明した本実施例４では、アクセル開度が設定値以下となってから所定時間が経過するまでは、燃料カットディレー中と判断してエンジン出力増大制御を禁止するようにしたので、燃料カットディレー中と判断される期間にエンジン出力増大制御を行わないようにすることができ、燃料カットディレー中にエンジン出力増大制御を行うことによる弊害を回避することができる。
【実施例５】
【０１２４】
図２９及び図３０に示す本発明の実施例５では、エンジンＥＣＵ２５が燃料カットディレーを実行しているときにその燃料カットディレーの情報（燃料カットディレー中フラグ）を該エンジンＥＣＵ２５からＡＴ−ＥＣＵ７０に出力し、燃料カットディレー中にダウンシフト要求が発生したときにエンジン出力増大制御を禁止するようにしている。
【０１２５】
この制御は、図３０のエンジン出力増大制御禁止判定ルーチンによって次のように実行される。本ルーチンが起動されると、まずステップ２８１で、エンジンＥＣＵ２５からＡＴ−ＥＣＵ７０に送信されてくる燃料カットディレーの情報に基づいて燃料カットディレー中であるか否かを判定し、燃料カットディレー中であれば、ステップ２８３に進み、ＥＴＣ協調ダウンシフト実行フラグｘＥｔｃをＯＦＦにセットして、エンジン出力増大制御（スロットル開き制御と燃料噴射復帰制御）を禁止する。
【０１２６】
一方、ステップ２８１で、燃料カットディレー中でないと判定されれば、ステップ２８２に進み、油温が設定値以上であるか否かを判定し、油温が設定値以上であれば、ステップ２８３に進み、ＥＴＣ協調ダウンシフト実行フラグｘＥｔｃをＯＦＦにセットして、エンジン出力増大制御（スロットル開き制御と燃料噴射復帰制御）を禁止する。
これに対して、油温が設定値未満であれば、何もせずに本ルーチンを終了する。この場合は、エンジン出力増大制御（スロットル開き制御と燃料噴射復帰制御）が許可される。      
【０１２７】
以上説明した本実施例５では、エンジンＥＣＵ２５から燃料カットディレー情報を直接取得して、燃料カットディレー中のエンジン出力増大制御（スロットル開き制御と燃料噴射復帰制御）を確実に禁止することができる。
【実施例６】
【０１２８】
図３１に示す本発明の実施例６においては、ＥＴＣ協調ダウンシフト制御の開始タイミングｔ1 からエンジン出力増大制御の開始タイミングｔ2 までの間に燃料カットを実行するようにしている。ＥＴＣ協調ダウンシフト制御を開始するときに、解放側クラッチの油圧指令値を最低油圧（０ｋＰａ）又はその付近に即座に下げて解放側クラッチの伝達トルク容量を即座に無くした状態にすれば、直ちに燃料カットを開始しても、トルクショックが発生することがなく、入力軸回転速度Ｎt やギア比を低下させることができ、エンジン出力増大制御の開始タイミングを早めてダウンシフトの変速を速やかに進行させることができる。
【実施例７】
【０１２９】
図３２及び図３３に示す本発明の実施例７においては、ＥＴＣ協調ダウンシフト制御の開始タイミングｔ1 からエンジン出力増大制御の開始タイミングｔ2 までの間に、燃料カットディレー中である場合のみ、燃料カットを実行するようにしている。つまり、ＥＴＣ協調ダウンシフト制御の開始タイミングｔ1 からエンジン出力増大制御の開始タイミングｔ2 までの間であっても、燃料カットディレー中でなければ、燃料カットを実行しない。このようにすれば、低回転領域でエンジン回転を維持するための少量の燃料を噴射しているとき等、燃料カットディレー以外の要求で燃料を噴射しているときに、燃料カットを実行してエンスト等の不具合を発生させてしまうことを防止できる。
【０１３０】
この制御は、図３２の燃料噴射復帰制御ルーチンによって次のように実行される。本ルーチンが起動されると、まずステップ３００で、エンジンＥＣＵ２５からＡＴ−ＥＣＵ７０に送信されてくる燃料カット情報に基づいてエンジン制御側で燃料カット要求が発生しているか否かを判定し、燃料カット要求が発生していない場合は、ステップ３１０に進み、燃料カットディレー中であるか否かを判定する。その結果、燃料カットディレー中でないと判定されれば、そのまま本ルーチンを終了するが、燃料カットディレー中と判定されれば、ステップ３１１に進み、燃料カットを実行する。
【０１３１】
尚、上記ステップ３００で、エンジン制御側で燃料カット要求が発生していると判定された場合は、前記実施例１の図１９の燃料噴射復帰制御ルーチンと同様の方法で、燃料噴射又は燃料カットを実施する。
【０１３２】
以上説明した本実施例７においては、ＥＴＣ協調ダウンシフト制御の開始タイミングｔ1 からエンジン出力増大制御の開始タイミングｔ2 までの間であっても、燃料カットディレー中でなければ、燃料カットを実行しないようにしたので、低回転領域でエンジン回転を維持するための少量の燃料を噴射しているとき等、燃料カットディレー以外の要求で燃料を噴射しているときに、燃料カットを実行してエンスト等の不具合を発生させてしまうことを防止できる。
【実施例８】
【０１３３】
ところで、ＥＴＣ協調ダウンシフト制御開始後にアクセルペダルが少しでも踏み込まれていると、入力軸回転速度が低下しにくいので、エンジン出力増大制御が開始されない状態が続いてしまう可能性がある。
【０１３４】
そこで、図３４に示す本発明の実施例８においては、ＥＴＣ協調ダウンシフト制御の開始タイミングｔ1 からエンジン出力増大制御の開始タイミングｔ2 までの間に、燃料カットディレー中である場合の他に、アクセル開度が所定値以下である場合にも燃料カットを実行するようにしている（ステップ３１２）。このようにすれば、ＥＴＣ協調ダウンシフト制御開始後にアクセルペダルが少しだけ踏み込まれた状況でも、燃料カットにより入力軸回転速度Ｎｔを低下させてエンジン出力増大制御を開始させることができる。
【０１３５】
尚、上記各実施例においては、スロットル開き制御＋燃料噴射復帰制御によりエンジン出力増大制御を実現させているが、このエンジン出力増大制御の一つに燃料増量制御又は点火遅角制御を追加したり、或は、スロットル開き制御＋燃料噴射復帰制御を燃料増量制御又は点火遅角制御で置き換えても、エンジン出力増大制御を同様の考え方で実現できる。また、上記各実施例は、ガソリンエンジンの実施例であるが、ディーゼルエンジンにおいても、エンジン出力増大制御として燃料噴射量を増量する制御を実施するようにしても本発明を実現できる。
【図面の簡単な説明】
【０１３６】
【図１】本発明の各実施例のエンジン制御システム全体の概略構成図である。
【図２】自動変速機全体の概略構成を示す図である。
【図３】自動変速機の機械的構成を模式的に示す図である。
【図４】各変速段毎のクラッチＣ０〜Ｃ２とブレーキＢ０，Ｂ１の係合／解放の組み合わせを示す図である。
【図５】変速パターンの一例を示す図である。
【図６】パワーオンダウンシフト制御の一例を示すタイムチャートである。
【図７】実施例１のＥＴＣ協調ダウンシフト制御の一例を示すタイムチャートである。
【図８】実施例１の変速制御ルーチンの処理の流れを示すフローチャートである。
【図９】実施例１の変速種類判定ルーチンの処理の流れを示すフローチャートである。
【図１０】実施例１の変速油圧制御ルーチンの処理の流れを示すフローチャートである。
【図１１】実施例１の解放側クラッチ油圧制御ルーチンの処理の流れを示すフローチャートである。
【図１２】実施例１の係合側クラッチ油圧制御ルーチンの処理の流れを示すフローチャートである。
【図１３】実施例１のスロットル開き制御ルーチンの処理の流れを示すフローチャートである。
【図１４】実施例１のスロットル開き制御開始判定ルーチンの処理の流れを示すフローチャートである。
【図１５】実施例１のスロットル開き制御終了判定ルーチンの処理の流れを示すフローチャートである。
【図１６】実施例１のスロットル開き量補正ルーチンの処理の流れを示すフローチャートである。
【図１７】実施例１のスロットル開き量設定マップの一例を示す図である。
【図１８】実施例１のエンジン出力増大制御禁止判定ルーチンの処理の流れを示すフローチャートである。
【図１９】実施例１の燃料噴射復帰制御ルーチンの処理の流れを示すフローチャートである。
【図２０】実施例１の燃料噴射開始判定ルーチンの処理の流れを示すフローチャートである。
【図２１】実施例１の燃料噴射終了判定ルーチンの処理の流れを示すフローチャートである。
【図２２】実施例１のＥＴＣ協調ダウンシフト制御の第２例を示すタイムチャートである。
【図２３】実施例２のＥＴＣ協調ダウンシフト制御の一例を示すタイムチャートである。
【図２４】実施例２のスロットル開き制御開始判定ルーチンの処理の流れを示すフローチャートである。
【図２５】実施例３のＥＴＣ協調ダウンシフト制御の一例を示すタイムチャートである。
【図２６】実施例３のスロットル開き制御開始判定ルーチンの処理の流れを示すフローチャートである。
【図２７】実施例４のＥＴＣ協調ダウンシフト制御の一例を示すタイムチャートである。
【図２８】実施例４のエンジン出力増大制御禁止判定ルーチンの処理の流れを示すフローチャートである。
【図２９】実施例５のＥＴＣ協調ダウンシフト制御の一例を示すタイムチャートである。
【図３０】実施例５のエンジン出力増大制御禁止判定ルーチンの処理の流れを示すフローチャートである。
【図３１】実施例６のＥＴＣ協調ダウンシフト制御の一例を示すタイムチャートである。
【図３２】実施例７の燃料噴射復帰制御ルーチンの処理の流れを示すフローチャートである。
【図３３】実施例７のＥＴＣ協調ダウンシフト制御の一例を示すタイムチャートである。
【図３４】実施例８の燃料噴射復帰制御ルーチンの処理の流れを示すフローチャートである。
【符号の説明】
【０１３７】
１１…エンジン（内燃機関）、１２…吸気管、１４…エアフローメータ、１５…スロットルバルブ、１７…モータ、１８…スロットル開度センサ、２４…クランク角センサ（エンジン回転速度検出手段）、２５…エンジンＥＣＵ（エンジン制御コンピュータ，エンジン出力増大制御手段）、２６…アクセルペダル、２７…アクセルセンサ（アクセル開度検出手段）、５１…自動変速機、５２…トルクコンバータ、５３…変速歯車機構（変速機構）、５６…ロックアップクラッチ、５７…油圧制御回路、５８…油圧ポンプ、５９…ライン圧制御回路、６０…自動変速制御回路、６１…ロックアップ制御回路、６６…手動切換弁、６８…入力軸回転速度センサ（入力軸回転速度検出手段）、６９…出力軸回転速度センサ（出力軸回転速度検出手段）、７０…ＡＴ−ＥＣＵ（ダウンシフト制御手段，エンジン出力増大制御手段，タイマ手段）、Ｃ０〜Ｃ２…クラッチ（摩擦係合要素）、Ｂ０，Ｂ１…ブレーキ（摩擦係合要素）
【図１】
2006069267.tif 000003
【図２】
2006069267.tif 000004
【図３】
2006069267.tif 000005
【図４】
2006069267.tif 000006
【図５】
2006069267.tif 000007
【図６】
2006069267.tif 000008
【図７】
2006069267.tif 000009
【図８】
2006069267.tif 000010
【図９】
2006069267.tif 000011
【図１０】
2006069267.tif 000012
【図１１】
2006069267.tif 000013
【図１２】
2006069267.tif 000014
【図１３】
2006069267.tif 000015
【図１４】
2006069267.tif 000016
【図１５】
2006069267.tif 000017
【図１６】
2006069267.tif 000018
【図１７】
2006069267.tif 000019
【図１８】
2006069267.tif 000020
【図１９】
2006069267.tif 000021
【図２０】
2006069267.tif 000022
【図２１】
2006069267.tif 000023
【図２２】
2006069267.tif 000024
【図２３】
2006069267.tif 000025
【図２４】
2006069267.tif 000026
【図２５】
2006069267.tif 000027
【図２６】
2006069267.tif 000028
【図２７】
2006069267.tif 000029
【図２８】
2006069267.tif 000030
【図２９】
2006069267.tif 000031
【図３０】
2006069267.tif 000032
【図３１】
2006069267.tif 000033
【図３２】
2006069267.tif 000034
【図３３】
2006069267.tif 000035
【図３４】
2006069267.tif 000036